(57)【要約】【課題】吸着素子（８１，８２）  や全熱交換器などの空調素子を備えた空気調和装置において、フィルタ（７３，７４）  をケーシング（１０）の空気吸引口（１３，１５）  に配置した場合の通風抵抗を抑え、運転効率が低下しないようにする。【解決手段】フィルタ（７３，７４）  を、ケーシング（１０）内に、空気吸引口（１３，１５）  に近接するように配置するとともに、空気吸引口（１３，１５）  の開口面に対して傾斜させる。【選択図】  図１
2005016886.tif 000002
【特許請求の範囲】
【請求項１】
ケーシング（１０）内に、空気吸引口（１３，１５）  から導入された空気が流れる空気通路と、該空気通路中に配置された空調素子（８１，８２）（１１０）と、空気中の塵埃を除去するフィルタ（７３，７４）  とを備えた空気調和装置であって、
上記フィルタ（７３，７４）  は、空気吸引口（１３，１５）  に近接するように配置されるとともに、該空気吸引口（１３，１５）  の開口面に対して傾斜していることを特徴とする空気調和装置。
【請求項２】
請求項１に記載の空気調和装置において、
ケーシング（１０）内には、空気吸引口（１３，１５）  側の端部にフィルタチャンバ（７１，７２）  が形成され、
空気通路は、空気吸引口（１３，１５）  に対してその開口面の面方向に偏心した位置でフィルタチャンバ（７１，７２）  に連通し、
フィルタ（７３，７４）  がフィルタチャンバ（７１，７２）  内に空気吸引口（１３，１５）  から空気通路に跨って設けられていることを特徴とする空気調和装置。
【請求項３】
請求項２に記載の空気調和装置において、
フィルタ（７３，７４）  は、空気吸引口（１３，１５）  側の縁部が空気吸引口（１３，１５）  の開口面から離反し、空気通路側の縁部が上記開口面の延長面に近接するように傾斜していることを特徴とする空気調和装置。
【請求項４】
ケーシング（１０）内に、空気吸引口（１３，１５）  から導入された空気が流れる空気通路と、該空気通路中に配置された空調素子（８１，８２）（１１０）と、空気中の塵埃を除去するフィルタ（７３，７４）  とを備えた空気調和装置であって、
上記フィルタ（７３，７４）  は、空気吸引口（１３，１５）  に近接するように配置され、
ケーシング（１０）内には、空気吸引口（１３，１５）  側の端部にフィルタチャンバ（７１，７２）  が形成され、
空気通路は、空気吸引口（１３，１５）  に対してその開口面の面方向に偏心した位置でフィルタチャンバ（７１，７２）  に連通し、
フィルタ（７３，７４）  がフィルタチャンバ（７１，７２）  内に空気吸引口（１３，１５）  から空気通路に跨って設けられていることを特徴とする空気調和装置。
【請求項５】
請求項２，３または４に記載の空気調和装置において、
ケーシング（１０）が直方体状に形成されるとともに、ケーシング（１０）の側面に空気吸引口（１３，１５）  が形成され、
空気吸引口（１３，１５）  と空気通路とがケーシング（１０）の上下方向に偏心していることを特徴とする空気調和装置。
【請求項６】
請求項２から５のいずれか１に記載の空気調和装置において、
ケーシング（１０）が直方体状に形成されるとともに、ケーシング（１０）の側面に空気吸引口（１３，１５）  が形成され、
空気吸引口（１３，１５）  と空気通路とがケーシング（１０）の水平方向に偏心していることを特徴とする空気調和装置。
【請求項７】
請求項１から６のいずれか１に記載の空気調和装置において、
フィルタ（７３，７４）  は、空気流通面が湾曲または屈曲していることを特徴とする空気調和装置。
【請求項８】
請求項１から７のいずれか１に記載の空気調和装置において、
空調素子は、室内へ供給される空気の湿度を調節する吸着素子（８１，８２）  であることを特徴とする空気調和装置。
【請求項９】
請求項１から７のいずれか１に記載の空気調和装置において、
空調素子は、室内へ供給される空気と室外へ排出される空気とが熱交換を行う空気熱交換器（１１０）  であることを特徴とする空気調和装置。
【発明の詳細な説明】
【０００１】
【発明の属する技術分野】
本発明は、吸着素子や空気熱交換器（全熱交換器または顕熱交換器）などの空調素子を備えた空気調和装置に関し、特に、ケーシング内に導入される空気を清浄化するためのフィルタの配置に係るものである。
【０００２】
【従来の技術】
従来より、この種の空気調和装置としては、吸着素子を用いた調湿装置がある。この調湿装置は、一般に、ケーシング内に、空気中の水分を吸脱着可能な吸着素子と、空気を冷却するための冷媒回路と、室外空気を吸引して室内へ供給するための給気ファンと、室内空気を吸引して室外へ排出するための排気ファンとを備えている（例えば、特許文献１参照）。この構成において、例えば、夏期に室内の空調を行う場合には、室外より給気ファンで吸引された室外空気は、吸着素子と冷媒回路の蒸発器とを経て、減湿及び冷却された後に室内へ供給される。
【０００３】
ところで、この種の装置では、室外空気や室内空気に含まれる塵埃を除去しておかないと、空気がケーシング内を通過する際に吸着素子が目詰まりして性能が低下するおそれがある。そのため、この種の装置では一般にフィルタが用いられている。
【０００４】
フィルタを用いて除塵を行う構成にする場合、フィルタを吸着素子の通風面の入口側に重ねて配置することが考えられる。このような配置は、例えば室内へ供給される空気と室外へ排出される空気とが熱交換を行う空気熱交換器（全熱交換器）を用いた空気調和装置に適用されている。この空気調和装置では、フィルタは、全熱交換器の通風面に重ねるようにして配置されている（例えば、特許文献２参照）。
【０００５】
【特許文献１】
特開２００３−２８４５８号公報
【特許文献２】
特開昭６０−１７８７３５号公報
【０００６】
【発明が解決しようとする課題】
しかし、吸着素子や全熱交換器などの空調素子の通風面の入口側にフィルタを重ねる構成では、空調素子がケーシングの中央に配置されているような場合は、ケーシングの空気吸引口からフィルタまでの空間には空気中の塵埃が侵入することになる。したがって、ケーシング内は、フィルタの上流側の空気通路が塵埃で汚れ、その空気通路に配置されている他の部品にも塵埃が付着してしまうことになる。
【０００７】
これに対して、ケーシングの空気吸引口にフィルタを配置することも考えられるが、その場合は、空気吸引口の面積が吸着素子の通風面積と比べて一般に小さいために、面速が速くなる。そうすると、通風抵抗が大きくなってしまい、運転効率が低下してしまう。
【０００８】
本発明は、このような問題点に鑑みて創案されたものであり、その目的は、空調素子を備えた空気調和装置において、フィルタをケーシングの空気吸引口に配置した場合の通風抵抗を抑え、運転効率を高められるようにすることである。
【０００９】
【課題を解決するための手段】
本発明は、ケーシング（１０）の空気吸引口（１３，１５）  に近接する位置にフィルタ（７３，７４）  を斜め向きにして配置するなどして、面速を抑えられるようにしたものである。
【００１０】
具体的に、請求項１に記載の発明は、ケーシング（１０）内に、空気吸引口（１３，１５）  から導入された空気が流れる空気通路と、該空気通路中に配置された空調素子（８１，８２）（１１０）と、空気中の塵埃を除去するフィルタ（７３，７４）  とを備えた空気調和装置を前提としている。そして、この空気調和装置は、上記フィルタ（７３，７４）  が空気吸引口（１３，１５）  に近接するように配置されるとともに、該空気吸引口（１３，１５）  の開口面に対して傾斜していることを特徴としている。ここで、空調素子（８１，８２）（１１０）としては、吸着素子（８１，８２）  や空気熱交換器（１１０）  を挙げることができる。
【００１１】
この請求項１の発明では、空気吸引口（１３，１５）  からケーシング（１０）内に流入する空気は、該空気吸引口（１３，１５）  の近傍に設けられたフィルタ（７３，７４）  を通過し、塵埃が除去される。したがって、ケーシング（１０）内に設けられている空調素子（吸着素子（８１，８２）  や空気熱交換器（１１０）  など）や、その他の部品に塵埃が蓄積されることはない。また、フィルタ（７３，７４）  が空気吸引口（１３，１５）  の開口面に対して傾斜しているため、該フィルタ（７３，７４）  における通風面積は空気吸引口（１３，１５）  の開口面積よりも大きくなる。このため、フィルタ（７３，７４）  を空気吸引口（１３，１５）  の開口面と平行に配置する場合と比べて面速が遅くなり、通風抵抗が小さくなる。
【００１２】
請求項２に記載の発明は、請求項１に記載の空気調和装置において、例えば図１に示すように、ケーシング（１０）内には、空気吸引口（１３，１５）  側の端部にフィルタチャンバ（７１，７２）  が形成され、空気通路が空気吸引口（１３，１５）  に対してその開口面の面方向に偏心した位置でフィルタチャンバ（７１，７２）  に連通し、フィルタ（７３，７４）  がフィルタチャンバ（７１，７２）  内に空気吸引口（１３，１５）  から空気通路に跨って設けられていることを特徴としている。
【００１３】
この請求項２の発明では、空気吸引口（１３，１５）  と空気通路を該空気吸引口の開口面の面方向に偏心するように配置するとともに、空気吸引口（１３，１５）  と空気通路とをフィルタチャンバ（７１，７２）  を介して連通させているため、ケーシング（１０）内に流入する空気は、空気吸引口（１３，１５）  から空気通路に向かう際に、フィルタチャンバ（７１，７２）  により拡大縮小ディフューザの作用を受ける。そして、この拡大縮小ディフューザとなるフィルタチャンバ（７１，７２）  内にフィルタ（７３，７４）  を斜めに配置しているため、空気を流速の遅いところでフィルタ（７３，７４）  に通すことが可能となる。このことにより、確実に面速が遅くなり、通風抵抗が小さくなる。
【００１４】
請求項３に記載の発明は、請求項２に記載の空気調和装置において、図１に示すように、フィルタ（７３，７４）  の空気吸引口（１３，１５）  側の縁部が空気吸引口（１３，１５）  の開口面から離反し、空気通路側の縁部が上記開口面の延長面に近接するように傾斜していることを特徴としている。
【００１５】
この請求項３の発明では、フィルタ（７３，７４）  を傾斜させる向きを特定したことにより、拡大縮小ディフューザであるフィルタチャンバ（７１，７２）  において空気の流速が遅くなるところに必ずフィルタ（７３，７４）  が配置されることになる。したがって、より確実に面速を遅くすることができるので、通風抵抗を抑えられる。
【００１６】
請求項４に記載の発明は、ケーシング（１０）内に、空気吸引口（１３，１５）  から導入された空気が流れる空気通路と、該空気通路中に配置された空調素子（８１，８２）（１１０）と、空気中の塵埃を除去するフィルタ（７３，７４）  とを備えた空気調和装置を前提としている。そして、この空気調和装置は、例えば図１１に示すように、上記フィルタ（７３，７４）  が空気吸引口（１３，１５）  に近接するように配置され、ケーシング（１０）内には空気吸引口（１３，１５）  側の端部にフィルタチャンバ（７１，７２）  が形成され、空気通路が空気吸引口（１３，１５）  に対してその開口面の面方向に偏心した位置でフィルタチャンバ（７１，７２）  に連通し、さらに、フィルタ（７３，７４）  がフィルタチャンバ（７１，７２）  内に空気吸引口（１３，１５）  から空気通路に跨って設けられていることを特徴としている。
【００１７】
この請求項４の発明では、空気吸引口（１３，１５）  と空気通路を該吸引口の開口面の面方向に偏心するように配置するとともに、空気吸引口（１３，１５）  と空気通路とをフィルタチャンバ（７１，７２）  を介して連通させているため、ケーシング（１０）内に流入する空気は、空気吸引口（１３，１５）  から空気通路に向かう際にフィルタチャンバ（７１，７２）  内で拡大縮小ディフューザの作用を受ける。そして、この拡大縮小ディフューザとなるフィルタチャンバ（７１，７２）  内にフィルタ（７３，７４）  を配置しているため、流速の遅いところで空気をフィルタ（７３，７４）  に通すことが可能となる。このことにより、面速が遅くなり、通風抵抗が小さくなる。
【００１８】
請求項５，６に記載の発明は、空気吸引口（１３，１５）  と空気通路の具体的な位置関係を特定したもので、請求項５に記載の発明は、請求項２，３または４に記載の空気調和装置において、ケーシング（１０）が直方体状に形成されるとともに、ケーシング（１０）の側面に空気吸引口（１３，１５）  が形成され、空気吸引口（１３，１５）  と空気通路とがケーシング（１０）の上下方向に偏心していることを特徴としている。
【００１９】
また、請求項６に記載の発明は、請求項２から５のいずれか１に記載の空気調和装置において、ケーシング（１０）が直方体状に形成されるとともに、ケーシング（１０）の側面に空気吸引口（１３，１５）  が形成され、空気吸引口（１３，１５）  と空気通路とがケーシング（１０）の水平方向に偏心していることを特徴としている。
【００２０】
これら請求項５，６の発明においても、拡大縮小ディフューザとなるフィルタチャンバ（７１，７２）  内にフィルタ（７３，７４）  を配置したことにより、流速の遅いところで空気をフィルタ（７３，７４）  に通すことが可能となるため、面速が遅くなって通風抵抗が小さくなる。
【００２１】
請求項７に記載の発明は、請求項１から６のいずれか１に記載の空気調和装置において、フィルタ（７３，７４）  の空気流通面が湾曲または屈曲していることを特徴としている。
【００２２】
この請求項７に記載の発明では、フィルタ（７３，７４）  の空気流通面を湾曲または屈曲させたことにより通風面積を大きくしているため、面速が遅くなり、通風抵抗が小さくなる。
【００２３】
また、請求項８に記載の発明は、請求項１から７のいずれか１に記載の空気調和装置において、空調素子が、室内へ供給される空気の湿度を調節する吸着素子（８１，８２）  であることを特徴としている。
【００２４】
さらに、請求項９に記載の発明は、請求項１から７のいずれか１に記載の空気調和装置において、空調素子が、室内へ供給される空気と室外へ排出される空気とが熱交換を行う空気熱交換器（１１０）  であることを特徴とするものである。
【００２５】
【発明の実施の形態１】
以下、本発明の実施形態１を図面に基づいて詳細に説明する。この実施形態１は、空調素子として吸着素子を用いた調湿装置（空気調和装置）に関するものである。
【００２６】
本実施形態に係る調湿装置（１）  は、減湿された空気を室内へ供給する除湿運転と、加湿された空気を室内へ供給する加湿運転とを切り換えて行うように構成されている。また、この調湿装置（１）  は、２つの吸着素子（８１，８２）  と、冷媒回路とを備え、バッチ式（回分式）の動作を行うように構成されている。ここでは、本実施形態に係る調湿装置（１）  の構成について、図１、図５、図６を参照しながら説明する。尚、本実施形態１の説明において、「上」「下」「左」「右」「前」「後」「手前」「奥」は、特にことわらない限り、図１に示す調湿装置（１）  を正面側（図の下方側）から見た場合の方向性を意味している。
【００２７】
図１に示すように、上記調湿装置（１）  は、やや扁平な直方体状のケーシング（１０）を備えている。このケーシング（１０）内には、室外空気を吸引して室内へ供給する第１の空気通路と、室内空気を吸引して室外へ排出する第２の空気通路とが形成されている。また、ケーシング（１０）には、２つの吸着素子（８１，８２）  と冷媒回路とが収納されている。吸着素子（８１，８２）  は、各空気通路に一つずつ配置されている。
【００２８】
冷媒回路には、再生熱交換器（１０２）  、第１熱交換器（１０３）  、第２熱交換器（１０４）  、圧縮機（１０１）  、及び膨張弁が設けられている。この冷媒回路では、充填された冷媒を循環させることによって冷凍サイクルが行われる。また、冷媒回路は、第１熱交換器（１０３）  が蒸発器となる運転と、第２熱交換器（１０４）  が蒸発器となる運転とを切り換え可能に構成されている。
【００２９】
図６に示すように、上記吸着素子（８１，８２）  は、平板状の平板部材（８３）と波形状の波板部材（８４）とが交互に積層して構成されている。波板部材（８４）は、隣接する波板部材（８４）の稜線方向が互いに９０°ずれる姿勢で積層されている。そして、吸着素子（８１，８２）  は、全体として直方体状ないし四角柱状に形成されている。
【００３０】
上記吸着素子（８１，８２）  には、平板部材（８３）及び波板部材（８４）の積層方向において、調湿側通路（８５）と冷却側通路（８６）とが平板部材（８３）を挟んで交互に区画形成されている。この吸着素子（８１，８２）  において、平板部材（８３）の長辺側の側面に調湿側通路（８５）が開口し、平板部材（８３）の短辺側の側面に冷却側通路（８６）が開口している。
【００３１】
上記吸着素子（８１，８２）  において、調湿側通路（８５）に臨む平板部材（８３）の表面や、調湿側通路（８５）に設けられた波板部材（８４）の表面には、水蒸気を吸着するための吸着材が塗布されている。この種の吸着材としては、例えばシリカゲル、ゼオライト、イオン交換樹脂等が挙げられる。
【００３２】
図１に示すように、上記ケーシング（１０）において、最も手前側には第１パネル（１１）が設けられ、最も奥側には第２パネル（１２）が設けられている。第１パネル（１１）には、その左端寄りの下部に給気口（１４）が形成され、その右端寄りの下部に排気口（１６）が形成されている。一方、第２パネル（１２）には、中央から左側寄りの上部に空気吸引口である室内側吸引口（１３）が形成され、中央から右側寄りの上部に空気吸引口である室外側吸引口（１５）が形成されている。
【００３３】
ケーシング（１０）の内部は、手前側の第１パネル（１１）から奥側の第２パネル（１２）に向かう方向において、大別すると３つの空間に仕切られている。このため、第１パネル（１１）と第２パネル（１２）の間には、第１仕切パネル（１７ａ）  と第２仕切パネル（１７ｂ）  とが設けられている。
【００３４】
ケーシング（１０）の第１パネル（１１）と第１仕切パネル（１７ａ）との間に形成された空間は、さらに仕切板（１８）により左右の空間に仕切られている。この左右の空間のうち、右側の空間は排気側流路（４１）を構成し、左側の空間は給気側流路（４２）を構成している。
【００３５】
上記排気側流路（４１）は、排気口（１６）を介して室外に連通している。この排気側流路（４１）には、排気ファン（９６）、第２熱交換器（１０４）  、及び圧縮機（１０１）  が設置されている。上記第２熱交換器（１０４）  は、排気ファン（９６）へ向かって流れる空気を冷媒回路の冷媒と熱交換させる。また、上記圧縮機（１０１）  は、上記冷媒回路の圧縮行程に用いられている。
【００３６】
一方、給気側流路（４２）は、給気口（１４）を介して室内に連通している。この給気側流路（４２）には、給気ファン（９５）と第１熱交換器（１０３）  とが設置されている。第１熱交換器（１０３）  は、給気ファン（９５）へ向かって流れる空気を冷媒回路の冷媒と熱交換させる。
【００３７】
ケーシング（１０）の第２パネル（１２）と第２仕切パネル（１７ｂ）  との間に形成された空間は、吸引口側仕切板（１９）によって左右に２つに仕切られて、右側フィルタチャンバ（７１）と左側フィルタチャンバ（７２）とが形成されている。右側フィルタチャンバ（７１）には、室外側吸引口（１５）から流入して上記空気通路を流れる室外空気の塵埃を除去するための室外側フィルタ（７３）が配置されている。また、左側フィルタチャンバ（７２）には、室内側吸引口（１３）から流入して上記空気通路を流れる室内空気の塵埃を除去するための室内側フィルタ（７４）が配置されている。
【００３８】
ケーシング（１０）の第１仕切パネル（１７ａ）  と第２仕切パネル（１７ｂ）  との間に形成された空間は、右側仕切板（２０）と左側仕切板（３０）とによって左右に３つの空間に仕切られている。
【００３９】
右側仕切板（２０）の右側の空間は、右側上下仕切板（２８）によって、鉛直上下方向に２つの空間に仕切られている。そして、この空間は、上側の空間が右上部流路（６５）を構成し、下側の空間が右下部流路（６６）を構成している。右上部流路（６５）は、排気側流路（４１）と連通している一方、右側フィルタチャンバ（７１）及び室外側吸引口（１５）とは仕切られている。また、右下部流路（６６）は、右側フィルタチャンバ（７１）及び室外側吸引口（１５）と連通している一方、排気側流路（４１）とは仕切られている。
【００４０】
室外側吸引口（１５）と右下部流路（６６）とは互いの中心が上下方向と水平方向に偏心している。つまり、空気通路である右下部流路（６６）は、室外側吸引口（１５）に対してその開口面の面方向に偏心した位置で右側フィルタチャンバ（７１）に連通している。また、室外側フィルタ（７３）は、室外側吸引口（１５）から右下部通路（６６）に跨るように右側フィルタチャンバ（７１）内に設けられている。
【００４１】
左側仕切板（３０）の左側の空間は、左側上下仕切板（３８）によって、鉛直上下方向に２つの空間に仕切られている。そして、この空間は、上下の空間が左上部流路（６７）を構成し、下側の空間が左下部流路（６８）を構成している。左上部流路（６７）は、給気側流路（４２）と連通している一方、左側フィルタチャンバ（７２）及び室内側吸引口（１３）とは仕切られている。また、左下部流路（６８）は、左側フィルタチャンバ（７２）及び室内側吸引口（１３）と連通している一方、給気側流路（４２）とは仕切られている。
【００４２】
室内側吸引口（１３）と左下部流路（６８）とは互いの中心が上下方向と水平方向に偏心している。つまり、空気通路である左下部流路（６８）は、室内側吸引口（１３）に対してその開口面の面方向に偏心した位置で左側フィルタチャンバ（７２）に連通している。また、室内側フィルタ（７４）は、室内側吸引口（１３）から左下部通路（６８）に跨るように左側フィルタチャンバ（７２）内に設けられている。
【００４３】
右側仕切板（２０）と左側仕切板（３０）の間には、２つの吸着素子（８１，８２）  が設置されている。これら吸着素子（８１，８２）  は、所定の間隔をおいて前後に並んだ状態に配置されている。具体的には、手前側の第１パネル（１１）寄りに第１吸着素子（８１）が設けられ、奥側の第２パネル（１２）寄りに第２吸着素子（８２）が設けられている。
【００４４】
第１，第２吸着素子（８１，８２）  は、それぞれにおける平板部材（８３）及び波板部材（８４）の積層方向がケーシング（１０）の左右方向と一致する姿勢で設置されている。この姿勢の各吸着素子（８１，８２）  では、その上下の側面に調湿側通路（８５）が開口し、その前後の側面に冷却側通路（８６）が開口する一方、その左右の側面にはいずれの通路（８５，８６）  も開口していない。
【００４５】
右側仕切板（２０）と左側仕切板（３０）との間の空間は、第１流路（５１）、第２流路（５２）、第１上部流路（５３）、第１下部流路（５４）、第２上部流路（５５）、第２下部流路（５６）、及び中央流路（５７）に区画されている。
【００４６】
また、図５に示すように、第１流路（５１）は、第１吸着素子（８１）の手前側（図５においては右側）に形成され、第１吸着素子（８１）の冷却側通路（８６）に連通している。第２流路（５２）は、第２吸着素子（８２）の奥側（図５においては左側）に形成され、第２吸着素子（８２）の冷却側通路（８６）に連通している。
【００４７】
第１上部通路（５３）は、第１吸着素子（８１）の上側に形成され、第１吸着素子（８１）の調湿側通路（８５）に連通している。第１下部流路（５４）は、第１吸着素子（８１）の下側に形成され、第１吸着素子（８１）の調湿側通路（８５）に連通している。第２上部通路（５５）は、第２吸着素子（８２）の上側に形成され、第２吸着素子（８２）の調湿側通路（８５）に連通している。第２下部流路（５６）は、第２吸着素子（８２）の下側に形成され、第２吸着素子（８２）の調湿側通路（８５）に連通している。
【００４８】
中央流路（５７）は、第１吸着素子（８１）と第２吸着素子（８２）との間に形成され、両吸着素子（８１，８２）  の冷却側通路（８６）に連通している。この中央流路（５７）には、再生熱交換器（１０２）  がほぼ垂直に立った状態で設置されている。この再生熱交換器（１０２）  は、中央流路（５７）を流れる空気を冷媒回路の冷媒と熱交換させる。そして、再生熱交換器（１０２）  は、凝縮器として機能し、空気を加熱するための加熱器を構成している。
【００４９】
中央流路（５７）と第１下部流路（５４）との間の仕切りには、第１シャッタ（６１）が設けられている。一方、中央流路（５７）と第２下部流路（５６）との間の仕切りには、第２シャッタ（６２）が設けられている。第１シャッタ（６１）と第２シャッタ（６２）とは、何れも駆動機構（図示せず）により開閉自在に構成されている。
【００５０】
図１に示すように、  右側仕切板（２０）には、第１右側開口（２１）、第２右側開口（２２）、第１右上開口（２３）、第１右下開口（２４）、第２右上開口（２５）、及び第２右下開口（２６）が形成されている。これらの開口（２１，２２，…）は、それぞれが開閉シャッタを備えて開閉自在に構成されている。これらの開閉シャッタは、図示しない駆動機構により駆動されて開閉するようになっている。
【００５１】
第１右側開口（２１）は、右側仕切板（２０）における手前側の下部に設けられている。第１右側開口（２１）の開閉シャッタが開いた状態では、第１流路（５１）と右下部流路（６６）とが互いに連通する。第２右側開口（２２）は、右側仕切板（２０）における奥側の下部に設けられている。第２右側開口（２２）の開閉シャッタが開いた状態では、第２流路（５２）と右下部流路（６６）とが互いに連通する。
【００５２】
第１右上開口（２３）は、右側仕切板（２０）のうち第１吸着素子（８１）に隣接する部分の上部に設けられている。第１右上開口（２３）の開閉シャッタが開いた状態では、第１上部流路（５３）と右上部流路（６５）とが互いに連通する。第１右下開口（２４）は、右側仕切板（２０）のうち第１吸着素子（８１）に隣接する部分の下部に設けられている。第１右下開口（２４）の開閉シャッタが開いた状態では、第１下部流路（５４）と右下部流路（６６）とが互いに連通する。
【００５３】
第２右上開口（２５）は、右側仕切板（２０）のうち第２吸着素子（８２）に隣接する部分の上部に設けられている。第２右上開口（２５）の開閉シャッタが開いた状態では、第２上部流路（５５）と右上部流路（６５）とが互いに連通する。第２右下開口（２６）は、右側仕切板（２０）のうち第２吸着素子（８２）に隣接する部分の下部に設けられている。第２右下開口（２６）の開閉シャッタが開いた状態では、第２下部流路（５６）と右下部流路（６６）とが互いに連通する。
【００５４】
左側仕切板（３０）には、第１左側開口（３１）、第２左側開口（３２）、第１左上開口（３３）、第１左下開口（３４）、第２左上開口（３５）、及び第２左下開口（３６）が形成されている。これらの開口（３１，３２，…）は、それぞれが開閉シャッタを備えて開閉自在に構成されている。これらの開閉シャッタは、図示しない駆動機構により駆動されて開閉するようになっている。
【００５５】
第１左側開口（３１）は、左側仕切板（３０）における手前側の下部に設けられている。第１左上開口（３１）の開閉シャッタが開いた状態では、第１流路（５１）と左下部流路（６８）とが互いに連通する。第２左側開口（３２）は、左側仕切板（３０）における奥側の下部に設けられている。第２左側開口（３２）の開閉シャッタが開いた状態では、第２流路（５２）と左下部流路（６８）とが互いに連通する。
【００５６】
第１左上開口（３３）は、左側仕切板（３０）のうち第１吸着素子（８１）に隣接する部分の上部に設けられている。第１左上開口（３３）の開閉シャッタが開いた状態では、第１上部流路（５３）と左上部流路（６７）とが互いに連通する。第１左下開口（３４）は、左側仕切板（３０）のうち第１吸着素子（８１）に隣接する部分の下部に設けられている。第１左下開口（３４）の開閉シャッタが開いた状態では、第１下部流路（５４）と左下部流路（６８）とが互いに連通する。
【００５７】
第２左上開口（３５）は、左側仕切板（３０）のうち第２吸着素子（８２）に隣接する部分の上部に設けられている。第２左上開口（３５）の開閉シャッタが開いた状態では、第２上部流路（５５）と左上部流路（６７）とが互いに連通する。第２左下開口（３６）は、左側仕切板（３０）のうち第２吸着素子（８２）に隣接する部分の下部に設けられている。第２左下開口（３６）の開閉シャッタが開いた状態では、第２下部流路（５６）と左下部流路（６８）とが互いに連通する。
【００５８】
上記室外側フィルタ（７３）は、平板状のフィルタであり、ケーシング（１０）内で室外側吸引口（１５）に近接するように右側フィルタチャンバ（７１）内に配置され、該室外側吸引口（１５）の開口面に対して傾斜している。具体的に、室外側フィルタ（７３）は、右側フィルタチャンバ（７１）の上端から下端に向かって傾斜しており、室外側吸引口（１５）側の縁部（上側縁部）がケーシング（１０）における該吸引口（１５）側の端面から離反し、空気通路である右下部流路（６６）側の縁部（下側縁部）が該端面に近接している。
【００５９】
上記室内側フィルタ（７４）は、平板状のフィルタであり、ケーシング（１０）内で室内側吸引口（１３）に近接するように左側フィルタチャンバ（７２）内に配置され、該室内側吸引口（１３）の開口面に対して傾斜している。具体的に、室内側フィルタ（７３）は、左側フィルタチャンバ（７２）の上端から下端に向かって傾斜しており、室内側吸引口（１３）側の縁部（上側縁部）がケーシング（１０）における該吸引口（１３）側の端面から離反し、空気通路である左下部流路（６８）側の縁部（下側縁部）が該端面に近接している。
【００６０】
−運転動作−
上記調湿装置（１）  の運転動作について説明する。この調湿装置（１）  は、除湿運転と加湿運転とを切り換えて行う。また、この調湿装置（１）  は、後述するように、第１動作と第２動作とを交互に繰り返すことによって、除湿運転や加湿運転を行う。
【００６１】
≪除湿運転≫
除湿運転時において、冷媒回路では、再生熱交換器（１０２）  が凝縮器となり、第１熱交換器（１０３）  が蒸発器となる一方、第２熱交換器（１０４）  が休止している。
【００６２】
図１，図２に示すように、除湿運転時において、給気ファン（９５）を駆動すると、室外空気（ＯＡ）が室外側吸引口（１５）を通じてケーシング（１０）内に取り込まれる。この室外空気は第１空気として、右側フィルタチャンバ（７１）から右下部流路（６６）へ流入する。その際、室外空気は室外側フィルタ（７３）を通過し、塵埃が除去される。また、室外空気が右側フィルタチャンバ（７１）から右下部流路（６６）へ流れるときに右側フィルタチャンバ（７１）が拡大縮小ディフューザとして機能するうえ、その中央の位置に室外側フィルタ（７３）を斜め向きに配置しているため、比較的面積の大きなフィルタ面を、空気が流速の遅くなったところで通過することになり、通風抵抗は比較的小さくなる。
【００６３】
一方、排気ファン（９６）を駆動すると、室内空気（ＲＡ）が室内側吸引口（１３）を通じてケーシング（１０）内に取り込まれる。この室内空気は第２空気として、左側フィルタチャンバ（７２）から左下部流路（６８）へ流入する。その際、室内空気は室内側フィルタ（７４）を通過し、塵埃が除去される。また、室内空気が左側フィルタチャンバ（７２）から左下部流路（６８）へ流れるときに左側フィルタチャンバ（７２）が拡大縮小ディフューザとして機能するうえ、その中央の位置に室内側フィルタ（７４）を斜め向きに配置しているため、比較的面積の大きなフィルタ面を、空気が流速の遅くなったところで通過することになり、通風抵抗は比較的小さくなる。
【００６４】
次に、除湿運転時の第１動作について、図１，図５（Ａ）を参照しながら説明する。この第１動作では、第１吸着素子（８１）についての吸着動作と、第２吸着素子（８２）についての再生動作とが行われる。つまり、第１動作では、第１吸着素子（８１）で空気が減湿されると同時に、第２吸着素子（８２）の吸着材が再生される。
【００６５】
図１に示すように、右側仕切板（２０）では、第１右下開口（２４）と第２右上開口（２５）の開閉シャッタが開口状態であり、残りの開口（２１，２２，２３，２６）  の開閉シャッタは閉鎖状態となっている。この状態では、第１右下開口（２４）によって右下部流路（６６）と第１下部流路（５４）とが連通し、第２右上開口（２５）によって第２上部流路（５５）と右上部流路（６５）とが連通している。
【００６６】
左側仕切板（３０）では、第１左側開口（３１）と第１左上開口（３３）の開閉シャッタが開口状態であり、残りの開口（３２，３４，３５，３６）  の開閉シャッタが閉鎖状態となっている。この状態では、第１左側開口（３１）によって第１流路（５１）と左下部流路（６８）とが連通し、第１左上開口（３３）によって第１上部流路（５３）と左上部流路（６７）とが連通している。
【００６７】
また、図５（Ａ）に示すように、第１シャッタ（６１）は閉鎖状態となり、第２シャッタ（６２）は開口状態となっており、この状態で中央流路（５７）と第２下部流路（５６）とが連通される。
【００６８】
給気ファン（９５）の駆動により、右側フィルタチャンバ（７１）から右下部流路（６６）に流入した第１空気は、その後に第１右下開口（２４）を通って、第１下部流路（５４）へ流入する。一方、排気ファン（９６）の駆動により、左側フィルタチャンバ（７２）から左下部流路（６８）へ流入した第２空気は、その後に第１左側開口（３１）を通って、第１流路（５１）へ流入する。
【００６９】
第１下部流路（５４）の第１空気は、第１吸着素子（８１）の調湿側通路（８５）へ流入する。この調湿側通路（８５）を流れる間に、第１空気に含まれる水蒸気が吸着材に吸着される。第１吸着素子（８１）で減湿された第１空気は、第１上部流路（５３）へ流入する。
【００７０】
一方、第１流路（５１）の第２空気は、第１吸着素子（８１）の冷却側通路（８６）へ流入する。この冷却側通路（８６）を流れる間に、第２空気は、調湿側通路（８５）で水蒸気が吸着材に吸着された際に生じた吸着熱を吸熱する。吸着熱を奪った第２空気は、中央通路（５７）へ流入して再生熱交換器（１０２）  を通過する。その際、再生熱交換器（１０２）  では、第２空気が冷媒との熱交換によって加熱される。その後、第２空気は、中央流路（５７）から第２下部流路（５６）へ流入する。
【００７１】
第１吸着素子（８１）及び再生熱交換器（１０２）  で加熱された第２空気は、第２吸着素子（８２）の調湿側通路（８５）へ導入される。この調湿側通路（８５）では、第２空気によって吸着材が加熱され、吸着材から水蒸気が脱離する。つまり、第２吸着素子（８２）の再生が行われる。吸着材から脱離した水蒸気は、第２空気と共に第２上部流路（５５）へ流入する。
【００７２】
図１に示すように、第１上部流路（５３）へ流入した減湿後の第１空気は、第１左上開口（３３）を通って左上部流路（６７）へ流入し、その後に給気側流路（４２）へ流入する。この第１空気は、給気側流路（４２）を流れる間に第１熱交換器（１０３）  を通過し、冷媒との熱交換によって冷却される。その後、減湿及び冷却された第１空気は、給気口（１４）を通って室内へ供給される。
【００７３】
一方、第２上部流路（５５）へ流入した第２空気は、第２右上開口（２５）を通って、右上部流路（６５）へ流入し、その後に排気側流路（４１）へ流入する。この第２空気は、排気側流路（４１）を流れる間に第２熱交換器（１０４）  を通過する。その際、第２熱交換器（１０４）  は休止しており、第２空気は加熱も冷却もされない。そして、第１吸着素子（８１）の冷却と第２吸着素子（８２）の再生に利用された第２空気は、排気口（１６）を通って室外へ排出される。
【００７４】
次に除湿運転の第２動作について、図２，図５（Ｂ）を参照しながら説明する。この第２動作では、第１動作時とは逆に、第２吸着素子（８２）についての吸着動作と第１吸着素子（８１）についての再生動作とが行われる。つまり、第２動作では、第２吸着素子（８２）で空気が減湿されると同時に、第１吸着素子（８１）の吸着材が再生される。
【００７５】
図２に示すように、右側仕切板（２０）では、第１右上開口（２３）と第２右下開口（２６）の開閉シャッタが開口状態であり、残りの開口（２１，２２，２４，２５）  の開閉シャッタは閉鎖状態となっている。この状態では、第１右上開口（２３）によって第１上部流路（５３）と右上部流路（６５）とが連通し、第２右下開口（２６）によって右下部流路（６６）と第２下部流路（５６）とが連通している。
【００７６】
左側仕切板（３０）では、第２左側開口（３２）と第２左上開口（３５）の開閉シャッタが開口状態であり、残りの開口（３１，３３，３４，３６）  の開閉シャッタが閉鎖状態となっている。この状態では、第２左側開口（３２）によって左下部流路（６８）と第２流路（５２）とが連通し、第２左上開口（３５）によって第２上部流路（５５）と左上部流路（６７）とが連通している。
【００７７】
また、図５（Ｂ）に示すように、第２シャッタ（６２）は閉鎖状態となり、第１シャッタ（６１）は開口状態となっており、この状態で中央流路（５７）と第１下部流路（５４）とが連通している。
【００７８】
給気ファン（９５）の駆動により、右側フィルタチャンバ（７１）から右下部流路（６６）に流入した第１空気は、その後に第２右下開口（２６）を通って、第２下部流路（５６）へ流入する。一方、排気ファン（９６）の駆動により、左側フィルタチャンバ（７２）から左下部流路（６８）へ流入した第２空気は、その後に第２左側開口（３２）を通って、第２流路（５２）へ流入する。
【００７９】
第２下部流路（５６）の第１空気は、第２吸着素子（８２）の調湿側通路（８５）へ流入する。この調湿側通路（８５）を流れる間に、第１空気に含まれる水蒸気が吸着材に吸着される。第２吸着素子（８２）で減湿された第１空気は、第２上部流路（５５）へ流入する。
【００８０】
一方、第２流路（５２）の第２空気は、第２吸着素子（８２）の冷却側通路（８６）へ流入する。この冷却側通路（８６）を流れる間に、第２空気は、調湿側通路（８５）で水蒸気が吸着材に吸着された際に生じた吸着熱を吸熱する。吸着熱を奪った第２空気は、中央通路（５７）へ流入して再生熱交換器（１０２）  を通過する。その際、再生熱交換器（１０２）  では、第２空気が冷媒との熱交換によって加熱される。その後、第２空気は、中央流路（５７）から第１下部流路（５４）へ流入する。
【００８１】
第２吸着素子（８２）及び再生熱交換器（１０２）  で加熱された第２空気は、第１吸着素子（８１）の調湿側通路（８５）へ導入される。この調湿側通路（８５）では、第２空気によって吸着材が加熱され、吸着材から水蒸気が脱離する。つまり、第１吸着素子（８１）の再生が行われる。吸着材から脱離した水蒸気は、第２空気と共に第１上部流路（５３）へ流入する。
【００８２】
図２に示すように、第２上部流路（５５）へ流入した減湿後の第１空気は、第２左上開口（３５）を通って左上部流路（６７）へ流入し、その後に給気側流路（４２）へ流入する。この第１空気は、給気側流路（４２）を流れる間に第１熱交換器（１０３）  を通過し、冷媒との熱交換によって冷却される。その後、減湿及び冷却された第１空気は、給気口（１４）を通って室内へ供給される。
【００８３】
上記第１上部流路（５３）へ流入した第２空気は、第１右上開口（２３）を通って、右上部流路（６５）へ流入し、その後に排気側流路（４１）へ流入する。この第２空気は、排気側流路（４１）を流れる間に第２熱交換器（１０４）  を通過する。その際、第２熱交換器（１０４）  は休止しており、第２空気は加熱も冷却もされない。そして、第２吸着素子（８２）の冷却と第１吸着素子（８１）の再生に利用された第２空気は、排気口（１６）を通って室外へ排出される。
【００８４】
≪加湿運転≫
加湿運転時において、冷媒回路では、再生熱交換器（１０２）  が凝縮器となり、第２熱交換器（１０４）  が蒸発器となる一方、第１熱交換器（１０３）  が休止している。
【００８５】
図３，図４に示すように、加湿運転時において、給気ファン（９５）を駆動すると、室外空気（ＯＡ）が室外側吸引口（１５）を通じてケーシング（１０）内に取り込まれる。この室外空気は第２空気として、右側フィルタチャンバ（７１）から右下部流路（６６）へ流入する。その際、室外空気は室外側フィルタ（７３）を通過し、塵埃が除去される。また、室外空気が右側フィルタチャンバ（７１）から右下部流路（６６）へ流れるときに右側フィルタチャンバ（７１）が拡大縮小ディフューザとして機能するうえ、その中央の位置に室外側フィルタ（７３）を斜め向きに配置しているため、比較的面積の大きなフィルタ面を、空気が流速の遅くなったところで通過することになり、通風抵抗は比較的小さくなる。
【００８６】
一方、排気ファン（９６）を駆動すると、室内空気（ＲＡ）が室内側吸引口（１３）を通じてケーシング（１０）内に取り込まれる。この室内空気は第１空気として、左側フィルタチャンバ（７２）から左下部流路（６８）へ流入する。その際、室内空気は室内側フィルタ（７４）を通過し、塵埃が除去される。また、室内空気が左側フィルタチャンバ（７２）から左下部流路（６８）へ流れるときに左側フィルタチャンバ（７２）が拡大縮小ディフューザとして機能するうえ、その中央の位置に室内側フィルタ（７４）を斜め向きに配置しているため、比較的面積の大きなフィルタ面を、空気が流速の遅くなったところで通過することになり、通風抵抗は比較的小さくなる。
【００８７】
次に、加湿運転時の第１動作について、図３，図５（Ａ）を参照しながら説明する。この第１動作では、第１吸着素子（８１）についての吸着動作と、第２吸着素子（８２）についての再生動作とが行われる。つまり、第１動作では、第２吸着素子（８２）で空気が加湿され、第１吸着素子（８１）の吸着材が水蒸気を吸着する。
【００８８】
図３に示すように、右側仕切板（２０）では、第１右側開口（２１）と第１右上開口（２３）の開閉シャッタが開口状態であり、残りの開口（２２，２４，２５，２６）  の開閉シャッタは閉鎖状態となっている。この状態では、第１右側開口（２１）によって右下部流路（６６）と第１流路（５１）とが連通し、第１右上開口（２３）によって第１上部流路（５３）と右上部流路（６５）とが連通している。
【００８９】
左側仕切板（３０）では、第１左下開口（３４）と第２左上開口（３５）の開閉シャッタが開口状態であり、残りの開口（３１，３２，３３，３６）  の開閉シャッタが閉鎖状態となっている。この状態では、第１左下開口（３４）によって左下部流路（６８）と第１下部流路（５４）とが連通し、第２左上開口（３５）によって第２上部流路（５５）と左上部流路（６７）とが連通している。
【００９０】
また、図５（Ａ）に示すように、第１シャッタ（６１）は閉鎖状態となり、第２シャッタ（６２）は開口状態となっており、この状態で中央流路（５７）と第２下部流路（５６）とが連通している。
【００９１】
排気ファン（９６）の駆動により、左側フィルタチャンバ（７２）から左下部流路（６８）に流入した第１空気は、その後に第１左下開口（３４）を通って、第１下部流路（５４）へ流入する。一方、給気ファン（９５）の駆動により、右側フィルタチャンバ（７１）から右下部流路（６６）へ流入した第２空気は、その後に第１右側開口（２１）を通って、第１流路（５１）へ流入する。
【００９２】
第１下部流路（５４）の第１空気は、第１吸着素子（８１）の調湿側通路（８５）へ流入する。この調湿側通路（８５）を流れる間に、第１空気に含まれる水蒸気が吸着材に吸着される。第１吸着素子（８１）で水分を奪われた第１空気は、第１上部流路（５３）へ流入する。
【００９３】
一方、第１流路（５１）の第２空気は、第１吸着素子（８１）の冷却側通路（８６）へ流入する。この冷却側通路（８６）を流れる間に、第２空気は、調湿側通路（８５）で水蒸気が吸着材に吸着された際に生じた吸着熱を吸熱する。吸着熱を奪った第２空気は、中央通路（５７）へ流入して再生熱交換器（１０２）  を通過する。その際、再生熱交換器（１０２）  では、第２空気が冷媒との熱交換によって加熱される。その後、第２空気は、中央流路（５７）から第２下部流路（５６）へ流入する。
【００９４】
第１吸着素子（８１）及び再生熱交換器（１０２）  で加熱された第２空気は、第２吸着素子（８２）の調湿側通路（８５）へ導入される。この調湿側通路（８５）では、第２空気によって吸着材が加熱され、吸着材から水蒸気が脱離する。つまり、第２吸着素子（８２）の再生が行われる。吸着材から脱離した水蒸気が第２空気に付与され、第２空気が加湿される。第２吸着素子（８２）で加湿された第２空気は、その後に第２上部流路（５５）へ流入する。
【００９５】
図３に示すように、第２上部流路（５５）へ流入した第２空気は、第２左上開口（３５）を通って左上部流路（６７）へ流入し、その後に給気側流路（４２）へ流入する。この第２空気は、給気側流路（４２）を流れる間に第１熱交換器（１０３）  を通過する。その際、第２熱交換器（１０３）  は休止しており、第２空気は加熱も冷却もされない。そして、加湿された第２空気は、給気口（１４）を通って室内へ供給される。
【００９６】
一方、第１上部流路（５３）へ流入した第１空気は、第１右上開口（２３）を通って、右上部流路（６５）へ流入し、その後に排気側流路（４１）へ流入する。この第１空気は、排気側流路（４１）を流れる間に第２熱交換器（１０４）  を通過し、冷媒との熱交換によって冷却される。その後、水分と熱を奪われた第１空気は、排気口（１６）を通って室外へ排出される。
【００９７】
次に加湿運転の第２動作について、図４，図５（Ｂ）を参照しながら説明する。この第２動作では、第１動作時とは逆に、第２吸着素子（８２）についての吸着動作と第１吸着素子（８１）についての再生動作とが行われる。つまり、第２動作では、第１吸着素子（８１）で空気が加湿され、第２吸着素子（８２）の吸着材が水蒸気を吸着する。
【００９８】
図４に示すように、右側仕切板（２０）では、第２右側開口（２２）と第２右上開口（２５）の開閉シャッタが開口状態であり、残りの開口（２１，２３，２４，２６）  の開閉シャッタは閉鎖状態となっている。この状態では、第２右側開口（２２）によって右下部流路（６６）と第２流路（５２）とが連通され、第２右上開口（２５）によって第２上部流路（５５）右上部流路（６５）とが連通される。
【００９９】
左側仕切板（３０）では、第１左上開口（３３）と第２左下開口（３６）の開閉シャッタが開口状態であり、残りの開口（３１，３２，３４，３５）  の開閉シャッタが閉鎖状態となっている。この状態では、第１左上開口（３３）によって第１上部流路（５３）と左上部流路（６７）とが連通し、第２左下開口（３６）によって左下部流路（６８）と第２下部流路（５６）とが連通している。
【０１００】
また、図５（Ｂ）に示すように、第２シャッタ（６２）は閉鎖状態となり、第１シャッタ（６１）は開口状態となっており、この状態で中央流路（５７）と第１下部流路（５４）とが連通している。
【０１０１】
排気ファン（９６）の駆動により、左側フィルタチャンバ（７２）から左下部流路（６８）に流入した第１空気は、その後に第２左下開口（３６）を通って、第２下部流路（５６）へ流入する。一方、給気ファン（９５）の駆動により、右側フィルタチャンバ（７１）から右下部流路（６６）へ流入した第２空気は、その後に第２右側開口（２２）を通って、第２流路（５２）へ流入する。
【０１０２】
第２下部流路（５６）の第１空気は、第２吸着素子（８２）の調湿側通路（８５）へ流入する。この調湿側通路（８５）を流れる間に、第１空気に含まれる水蒸気が吸着材に吸着される。第２吸着素子（８２）で水分を奪われた第１空気は、第２上部流路（５５）へ流入する。
【０１０３】
一方、第２流路（５２）の第２空気は、第２吸着素子（８２）の冷却側通路（８６）へ流入する。この冷却側通路（８６）を流れる間に、第２空気は、調湿側通路（８５）で水蒸気が吸着材に吸着された際に生じた吸着熱を吸熱する。吸着熱を奪った第２空気は、中央通路（５７）へ流入して再生熱交換器（１０２）  を通過する。その際、再生熱交換器（１０２）  では、第２空気が冷媒との熱交換によって加熱される。その後、第２空気は、中央流路（５７）から第１下部流路（５４）へ流入する。
【０１０４】
第２吸着素子（８２）及び再生熱交換器（１０２）  で加熱された第２空気は、第１吸着素子（８１）の調湿側通路（８５）へ導入される。この調湿側通路（８５）では、第２空気によって吸着材が加熱され、吸着材から水蒸気が脱離する。つまり、第１吸着素子（８１）の再生が行われる。そして、吸着材から脱離した水蒸気が第２空気に付与され、第２空気が加湿される。第１吸着素子（８１）で加湿された第２空気は、その後に第１上部流路（５３）へ流入する。
【０１０５】
図４に示すように、第１上部流路（５３）へ流入した第２空気は、第１左上開口（３３）を通って左上部流路（６７）へ流入し、その後に給気側流路（４２）へ流入する。この第２空気は、給気側流路（４２）を流れる間に第１熱交換器（１０３）  を通過する。その際、第２熱交換器（１０４）  は休止しており、第２空気は加熱も冷却もされない。そして、加湿された第２空気は、給気口（１４）を通って室内へ供給される。
【０１０６】
一方、第２上部流路（５５）へ流入した第１空気は、第２右上開口（２５）を通って、右上部流路（６５）へ流入し、その後に排気側流路（４１）へ流入する。この第１空気は、排気側流路（４１）を流れる間に第２熱交換器（１０４）  を通過し、冷媒との熱交換によって冷却される。その後、水分と熱を奪われた第１空気は、排気口（１６）を通って室外へ排出される。
【０１０７】
−実施形態１の効果−
以上説明したように、実施形態１によれば、ケーシング（１０）に室外空気が導入される室外側吸引口（１５）の近傍に室外側フィルタ（７３）を配置し、室内側吸引口（１３）の近傍に室内側フィルタ（７４）を配置しているため、ケーシング（１０）内への塵埃の侵入を防止できる。したがって、吸着素子（８１，８２）  や熱交換器（１０２，１０３，１０４）  の目詰まりなどの問題を防止できる。
【０１０８】
また、この調湿装置（１）  では、除湿運転及び加湿運転において第１動作と第２動作の空気の流れを切り換える多数のシャッタと、該シャッタを開閉するための駆動機構についても塵埃から保護することができる。
【０１０９】
一方、ケーシング（１０）内に流入した室外空気が右側フィルタチャンバ（７１）から右下部流路（６６）へ流れるときに右側フィルタチャンバ（７１）が拡大縮小ディフューザとして機能するうえ、その中央の位置に室外側フィルタ（７３）を斜め向きに配置しているため、比較的面積の大きなフィルタ面を流速の遅い空気が通過することになり、通風抵抗が比較的小さくなる。また、室内空気が左側フィルタチャンバ（７２）から左下部流路（６８）へ流れるときには左側フィルタチャンバ（７２）が拡大縮小ディフューザとして機能するうえ、その中央の位置に室内側フィルタ（７４）を斜め向きに配置しているため、比較的面積の大きなフィルタ面を流速の遅い空気が通過することになり、通風抵抗が比較的小さくなる。したがって、本実施形態によれば、運転効率が向上する。
【０１１０】
−実施形態１の変形例−
（第１の変形例）
上記実施形態１において、室外側フィルタ（７３）及び室内側フィルタ（７４）は、図７に示すように上下方向に加えて左右方向に傾斜させてもよい。このようにしてもフィルタ（７３，７４）  の位置での面速を抑えることにより、通風抵抗を低減し、運転効率を高められる。
【０１１１】
（第２，第３の変形例）
また、室外側吸引口（１５）と室内側吸引口（１３）は、図８に示すように右下部流路（６６）及び左下部流路（６８）に対して上下方向にのみ偏心するように配置してもよいし、図９に示すように右下部流路（６６）及び左下部流路（６８）に対して左右方向にのみ偏心するように配置してもよい。図８の例では、室外側吸引口（１５）は第２パネル（１２）の右端の上部に設けられ、室内側吸引口（１３）は第２パネル（１２）の左端の上部に設けられている。また、図９の例では、室外側吸引口（１５）は第２パネル（１２）の中央から右側寄りの下部に設けられ、室内側吸引口（１３）は第２パネル（１２）の中央から左側寄りの下部に設けられている。
【０１１２】
（第４の変形例）
さらに、室外側吸引口（１５）と室内側吸引口（１３）は、図１０に示すように、右下部流路（６６）及び左下部流路（６８）に対して偏心しない位置に配置してもよい。この例では、室外側吸引口（１５）は第２パネル（１２）の右端の下部に設けられ、室内側吸引口（１３）は第２パネルの左端の下部に設けられている。
【０１１３】
この例では、右側フィルタチャンバ（７１）を右上部流路（６５）と右下部流路（６６）の幅に合わせ、左側フィルタチャンバ（７２）を左上部流路（６７）と左下部流路（６８）の幅に合わせるように、２枚の吸引口側仕切板（１９）を設けている。また、各フィルタチャンバ（７１，７２）  の高さ寸法を、各下部流路（６６，６８）  の高さ寸法に合わせている。そして、上記各フィルタチャンバ（７１，７２）  の中に、室外側フィルタ（７３）及び室内側フィルタ（７４）を傾斜させて配置している。
【０１１４】
このように構成しても、各フィルタ（７３，７４）  を斜めに配置することで、該フィルタ（７３，７４）  の通風面積が各吸引口（１５，１３）  よりも大きくなるため、面速を抑えて通風抵抗を下げることが可能となり、各吸引口（１５，１３）  の開口面に揃えた真っ直ぐな配置と比べて運転効率を高められる。
【０１１５】
【発明の実施の形態２】
本発明の実施形態２は、図１１に示すように、室外側フィルタ（７３）と室内側フィルタ（７４）を、それぞれ右側フィルタチャンバ（７１）と左側フィルタチャンバ（７２）の中で傾斜させずに真っ直ぐに配置するようにした例であり、その他の点は図１から図４に示した実施形態１と同様である。
【０１１６】
この場合、右側フィルタチャンバ（７１）と左側フィルタチャンバ（７２）は、それぞれ、実施形態１と同様に拡大縮小ディフューザとして機能する。そして、フィルタ（７３，７４）  を、この拡大縮小ディフューザの中で流速が遅くなる位置に配置することができる。また、フィルタ（７３，７４）  の面積は、吸引口（１５，１３）  の開口面積よりも拡大されている。したがって、この実施形態２の構成でも面速を抑えて通風抵抗を下げることが可能となり、実施形態１とほぼ同様に運転効率を高めることが可能となる。
【０１１７】
（変形例）
図１２には、実施形態２の変形例を示している。この例では、右側フィルタチャンバ（７１）の幅を右上部流路（６５）及び右下部流路（６６）の幅に揃え、左側フィルタチャンバ（７２）の幅を左上部流路（６７）及び左下部流路（６８）の幅に揃えている。室外側フィルタ（７３）及び室内側フィルタ（７４）は、各フィルタチャンバ（７１，７２）  の中に第２パネルと平行に配置されている。
【０１１８】
第２仕切パネル（１７ｂ）  の右端部には、室外側フィルタ（７３）の上端から右下部流路（６６）の入口側の上端にかけて傾斜する第１右側ガイド板（９１）が設けられている。また、第２仕切パネル（１７ｂ）  の左端部には、室内側フィルタ（７４）の上端から左下部流路（６８）の入口側の上端にかけて傾斜する第１左側ガイド板（９２）が設けられている。
【０１１９】
このようにすると、各吸引口（１３，１５）  からフィルタチャンバ（７１，７２）  内に導入された空気が各ガイド板（９１，９２）  に案内されながら右下部流路（６６）及び左下部流路（６８）に導入されるため、空気の流れが安定する。したがって、各フィルタ（７３，７４）  の通風抵抗が局部的に大きくなったりせずに均一化するため、効率のよい運転が可能となる。
【０１２０】
【発明の実施の形態３】
本発明の実施形態３は、室外側フィルタ（７３）と室内側フィルタ（７４）の構成を、実施形態１及び実施形態２とは異なるようにしたものである。
【０１２１】
この実施形態３では、図１３に示すように、室外側フィルタ（７３）と室内側フィルタ（７４）とが一体になった１枚のフィルタ板（７５）が用いられている。そして、このフィルタ板（７５）の両端部を折り曲げることにより、右側端部に室外側フィルタ（７３）が形成され、左側端部に室内側フィルタ（７４）が形成されている。フィルタ板（７５）の高さ寸法は、ケーシング（１０）の上面から下面に至るように定められている。
【０１２２】
上記フィルタ板（７５）は、室外側フィルタ（７３）が右側フィルタチャンバ（７１）内に位置し、室内側フィルタ（７４）が左側フィルタチャンバ（７２）内に位置するように配置されている。そして、室外側フィルタ（７３）は、左側端が空気流れの上流側に位置し、右側端が空気流れの下流側に位置するように傾斜している。一方、室内側フィルタ（７４）は、右側端が空気流れの上流側に位置し、左側端が空気流れの下流側に位置している。
【０１２３】
各フィルタチャンバ（７１，７２）  は、上記各実施形態で説明したものよりも拡大されている。こうするため、第２仕切パネル（１７ｂ）  は、第２流路（５２）の幅に相当する部分にのみ設けられ、各フィルタチャンバ（７１，７２）  の左右が第１パネル（１１）側へ広がっている。右上部流路（６５）は、右側仕切板（２０）における第２右側開口（２２）と第２右上開口（２５）及び第２右下開口（２６）との間の位置から、室外側フィルタ（７３）とほぼ平行にのびる第２右側ガイド板（９３）により右側フィルタチャンバ（７１）に対して閉塞されている。また、左上部流路（６７）は、左側仕切板（３０）における第２左側開口（３２）と第２左上開口（３５）及び第２左下開口（３６）との間の位置から、室内側フィルタ（７４）とほぼ平行にのびる第２左側ガイド板（９４）により左側フィルタチャンバ（７２）に対して閉塞されている。
【０１２４】
右上部流路（６５）と右下部流路（６６）の間を区画している右側上下仕切板（２８）は、第２パネル（１２）側の端縁が第２右側ガイド板（９３）に沿って傾斜している。左上部流路（６７）と左下部流路（６８）の間を区画している左側上下仕切板（３８）は、第２パネル（１２）側の端縁が第２左側ガイド板（９４）に沿って傾斜している。
【０１２５】
この実施形態３では、室外側吸引口（１５）からケーシング（１０）内に導入された室外空気は、右側フィルタチャンバ（７１）内において、流路が拡大されて流速が遅くなったところで室外側フィルタ（７３）を通過する。ここで、室外側フィルタ（７３）は第２パネル（１２）に対して傾斜しており、面積が拡大されているため、面速が遅くなり、通風抵抗は小さく抑えられる。室外側フィルタ（７３）を通過した後の室外空気は、第２右側ガイド板（９３）に案内されながら右下部流路（６６）へ流入し、その後は上記各実施形態と同様の流れを経て室内に供給される。
【０１２６】
室内側吸引口（１３）からケーシング（１０）内に導入された室内空気は、左側フィルタチャンバ（７２）内において、流路が拡大されて流速が遅くなったところで室内側フィルタ（７４）を通過する。ここで、室内側フィルタ（７４）は第２パネル（１２）に対して傾斜しており、面積が拡大されているため、面速が遅くなり、通風抵抗は小さく抑えられる。室内側フィルタ（７４）を通過した後の室外空気は、第２左側ガイド板（９４）に案内されながら左下部流路（６８）へ流入し、その後は上記各実施形態と同様の流れを経て室外に排出される。
【０１２７】
なお、第２右側ガイド板（９３）及び第２左側ガイド板（９４）を設けたことにより、第２吸着素子（８２）から右上部流路（６５）及び左上部流路（６７）へ流出する空気の流れが滑らかになる利点もある。
【０１２８】
以上のように、この実施形態３においても、室外側フィルタ（７３）と室内側フィルタ（７４）を各吸引口（１５，１３）  の開口面に対して傾斜させたことにより、これらのフィルタ（７３，７４）  を傾斜させない場合と比較すると、該フィルタ（７３，７４）  を通過する空気の面速を抑えることが可能となり、通風抵抗を小さくすることが可能となる。また、各ガイド板（７６，７７，７８，７９）  により空気通路内の滑らかな空気の流れを可能にしている。したがって、以上のことから、従来よりも効率のよい運転を行うことが可能となる。
【０１２９】
なお、この実施形態３では、フィルタ（７３，７４）  を上記実施形態１，２で説明したものよりも第１パネル（１１）側へ寄った位置に配置しているので、図１３に（Ｓ）  で示す部分を小さくしてケーシング（１）  を小型化しても、フィルタ（７３，７４）  を十分な大きさに確保することができる。
【０１３０】
【発明の実施の形態４】
本発明の実施形態４は、室内へ供給される空気と室外へ排出される空気とが熱交換を行う空気熱交換器（全熱交換器または顕熱交換器）（１１０）  を空調素子として用いた空気調和装置（２）  に関するものである。
【０１３１】
図１４は、空気熱交換器（１１０）  と加湿器（１１５）  とを有する空気調和装置（２）  の概略構成図である。この空気調和装置（２）  では、ケーシング（１０）の一方の側面に室内側吸引口（１３）と給気口（１４）とが形成され、ケーシング（１０）の他方の側面に室外側吸引口（１５）と排気口（１６）とが形成されている。ケーシング（１０）内は、室外側吸引口（１５）が開口する室外側吸引流路（４４）と、給気口（１４）が開口する給気側流路（４２）と、室内側吸引口（１３）が開口する室内側吸引流路（４３）と、排気口（１６）が開口する排気側流路（４１）とに区画されている。そして、室外側吸引流路（４４）と給気側流路（４２）とが空気熱交換器（１１０）  の給気通路（１１１）  を介して連通し、室内側吸引流路（４３）と排気側流路（４１）とが空気熱交換器（１１０）  の排気通路（１１２）  を介して連通している。
【０１３２】
上記給気側流路（４２）には、室外空気を吸引して室内へ供給するための給気ファン（９５）が設置され、上記排気側流路（４１）には、室内空気を吸引して室外へ排出するための排気ファン（９６）が設置されている。また、給気側流路（４２）には、給気ファン（９５）の近傍に加湿器（１１５）  が設置されている。
【０１３３】
以上の構成により、この空気調和装置（２）  では、上記給気ファン（９５）で吸引された室外空気は、上記排気ファン（９６）で吸引された室内空気と空気熱交換器（１１０）  において熱交換され、必要に応じて上記加湿器（１１５）  により加湿された後に室内へ供給される。
【０１３４】
室外側吸引流路（４４）には室外側吸引口（１５）の近傍に室外側フィルタ（７３）が設置され、この室外側フィルタ（７３）は室外側吸引口（１５）の開口面に対して傾斜している。また、室内側吸引流路（４３）には室内側吸引口（１３）の近傍に室内側フィルタ（７４）が設置され、この室内側フィルタ（７４）は室内側吸引口（１３）の開口面に対して傾斜している。
【０１３５】
この実施形態４においても、ケーシング（１０）に室外空気が導入される室外側吸引口（１５）の近傍に室外側フィルタ（７３）を配置し、室内空気が導入される室内側吸引口（１３）の近傍に室内側フィルタ（７４）を配置しているため、ケーシング（１０）内への塵埃の侵入を防止できる。したがって、空気熱交換器（１１０）  の目詰まりはもちろん、他の機器への塵埃の蓄積も防止できる。
【０１３６】
また、上記室外側フィルタ（７３）及び室内側フィルタ（７４）を斜め向きに配置しているため、室外側吸引口（１５）及び室内側吸引口（１３）の開口面よりも面積の大きなフィルタ面を空気が通過することになり、通風抵抗が比較的小さくなる。したがって、従来よりも効率のよい運転を行うことが可能となる。
【０１３７】
【発明のその他の実施の形態】
本発明は、上記実施形態について、以下のような構成としてもよい。
【０１３８】
例えば、上記各実施形態において、室外側フィルタ（７３）及び室内側フィルタ（７４）には、図１５に示すように、空気流通面が湾曲または屈曲したものを用いてもよい。このようにすると、フィルタ（７３，７４）  の表面積が増えるため、面速をさらに抑えて通風抵抗を小さくすることが可能となり、その結果、運転効率を高められることになる。
【０１３９】
また、上記実施形態１〜３における調湿装置（１）  の具体構造は適宜変更することが可能であり、空気通路の構成などを変更した場合でも、フィルタ（７３，７４）  を空気吸引口（室外側吸引口（１５）及び室内側吸引口（１３））に連通するフィルタチャンバ（７１，７２）  内で傾斜させた配置にしたり、真っ直ぐな配置であっても該フィルタチャンバ（７１，７２）  に拡大縮小ディフューザの機能を持たせたりすることにより、上記各実施形態と同様の効果を奏することが可能である。
【０１４０】
【発明の効果】
請求項１に記載の発明によれば、フィルタ（７３，７４）  をケーシング（１０）内で空気吸引口（１３，１５）  に近接するように配置しているので、ケーシング（１０）内への塵埃の侵入を防止し、吸着素子（８１，８２）  や空気熱交換器（１１０）  のような空調素子の目詰まりの問題を阻止できる。また、フィルタ（７３，７４）  を空気吸引口（１３，１５）  の開口面に対して傾斜するように配置したことにより、フィルタ（７３，７４）  における通風面積が空気吸引口（１３，１５）  の開口面積よりも大きくなるようにしているので、フィルタ（７３，７４）  を空気吸引口（１３，１５）  の開口面と平行に配置する場合と比べて面速が遅くなり、通風抵抗が小さくなる。したがって、運転効率の低下を防止できる。
【０１４１】
請求項２に記載の発明によれば、空気吸引口（１３，１５）  と空気通路を該空気吸引口（１３，１５）  の開口面の面方向に偏心するように配置するとともに、空気吸引口（１３，１５）  と空気通路とを連通するフィルタチャンバ（７１，７２）  を設け、ケーシング（１０）内に流入する空気が、空気吸引口（１３，１５）  から空気通路に向かう際にフィルタチャンバ（７１，７２）  内で拡大縮小ディフューザの作用を受けるようにしている。しかも、この拡大縮小ディフューザとなるフィルタチャンバ（７１，７２）  内にフィルタ（７３，７４）  を斜めに配置しているため、流速の遅いところで空気をフィルタ（７３，７４）  に通すことが可能となる。このことにより、確実に面速が遅くなり、通風抵抗が小さくなって、運転効率を高められる。
【０１４２】
請求項３に記載の発明によれば、拡大縮小ディフューザであるフィルタチャンバ（７１，７２）  において空気の流速が遅くなるところに必ずフィルタ（７３，７４）  が配置されるようにフィルタ（７３，７４）  を傾斜させる向きを特定したことにより、確実に面速が遅くなり、通風抵抗が小さくなるので、運転効率を確実に高められる。
【０１４３】
請求項４に記載の発明によれば、空気吸引口（１３，１５）  と空気通路を該吸引口の開口面の面方向に偏心するように配置するとともに、空気吸引口（１３，１５）  と空気通路とを該面方向に連通するフィルタチャンバ（７１，７２）  を設け、ケーシング（１０）内に流入する空気が、空気吸引口（１３，１５）  から空気通路に向かう際にフィルタチャンバ（７１，７２）  内で拡大縮小ディフューザの作用を受けるようにしている。しかも、この拡大縮小ディフューザとなるフィルタチャンバ（７１，７２）  内にフィルタ（７３，７４）  を配置しているため、流速の遅いところで空気をフィルタ（７３，７４）  に通すことが可能となる。このことにより、確実に面速が遅くなり、通風抵抗が小さくなって、運転効率を高められる。
【０１４４】
請求項５，６に記載の発明によれば、請求項２から４の発明と同様に、拡大縮小ディフューザとなるフィルタチャンバ（７１，７２）  内にフィルタ（７３，７４）  を配置したことにより、流速の遅いところで空気をフィルタ（７３，７４）  に通すことが可能となるため、面速が遅くなって通風抵抗が小さくなる。したがって、運転効率が向上する。
【０１４５】
また、請求項７に記載の発明によれば、フィルタ（７３，７４）  の空気流通面を湾曲または屈曲させたことにより通風面積を大きくして、面速が遅くなり、通風抵抗が小さくなるようにしているので、運転効率をさらに確実に高められる。
【０１４６】
また、請求項８に記載の発明によれば、吸着素子（８１，８２）  を備えた空気調和装置（調湿装置）において請求項１〜７の発明の効果を得ることができ、請求項９に記載の発明によれば、全熱交換器のような空気熱交換器（１１０）  を備えた空気調和装置において請求項１〜７の発明の効果を得ることができる。特に、請求項８の発明によれば、調湿装置のケーシング（１０）内に空気通路を切り換えるための多数のシャッタを設ける場合に、これらシャッタを塵埃から保護することも可能となる。
【図面の簡単な説明】
【図１】実施形態１に係る調湿装置の構成及び除湿運転時の第１動作における空気の流れを示す概略構成図であり、図１（Ａ）は上面図、図１（Ｂ）は左側面図、図１（Ｃ）は右側面図である。
【図２】実施形態１に係る調湿装置の構成及び除湿運転時の第２動作における空気の流れを示す概略構成図であり、図２（Ａ）は上面図、図２（Ｂ）は左側面図、図２（Ｃ）は右側面図である。
【図３】実施形態１に係る調湿装置の構成及び加湿運転時の第１動作における空気の流れを示す概略構成図であり、図３（Ａ）は上面図、図３（Ｂ）は左側面図、図３（Ｃ）は右側面図である。
【図４】実施形態１に係る調湿装置の構成及び加湿運転時の第２動作における空気の流れを示す概略構成図であり、図４（Ａ）は上面図、図４（Ｂ）は左側面図、図４（Ｃ）は右側面図である。
【図５】実施形態１に係る調湿装置の要部拡大図である。
【図６】実施形態１に係る調湿装置の吸着素子の構成を示す概略斜視図である。
【図７】実施形態１に係る調湿装置の第１の変形例を示す概略構成図であり、図１（Ａ）は上面図、図１（Ｂ）は左側面図、図１（Ｃ）は右側面図である。
【図８】実施形態１に係る調湿装置の第２の変形例を示す概略構成図であり、図１（Ａ）は上面図、図１（Ｂ）は左側面図、図１（Ｃ）は右側面図である。
【図９】実施形態１に係る調湿装置の第３の変形例を示す概略構成図であり、図１（Ａ）は上面図、図１（Ｂ）は左側面図、図１（Ｃ）は右側面図である。
【図１０】実施形態１に係る調湿装置の第４の変形例を示す概略構成図であり、図１（Ａ）は上面図、図１（Ｂ）は左側面図、図１（Ｃ）は右側面図である。
【図１１】実施形態２に係る調湿装置を示す概略構成図であり、図１（Ａ）は上面図、図１（Ｂ）は左側面図、図１（Ｃ）は右側面図である。
【図１２】実施形態２に係る調湿装置の変形例を示す概略構成図であり、図１（Ａ）は上面図、図１（Ｂ）は左側面図、図１（Ｃ）は右側面図である。
【図１３】実施形態３に係る調湿装置を示す概略構成図であり、図１（Ａ）は上面図、図１（Ｂ）は左側面図、図１（Ｃ）は右側面図である。
【図１４】実施形態４に係る空気調和装置の概略構成図である。
【図１５】室外側フィルタ及び室内側フィルタの変形例を示す斜視図である。
【符号の説明】
（１）    調湿装置（空気調和装置）
（２）    空気調和装置
（１０）  ケーシング
（１３）  室内側吸引口（空気吸引口）
（１５）  室外側吸引口（空気吸引口）
（６６）  右下部流路（空気通路）
（６８）  左下部流路（空気通路）
（７１）  右側フィルタチャンバ
（７２）  左側フィルタチャンバ
（７３）  室外側フィルタ
（７４）  室内側フィルタ
（８１）  第１吸着素子
（８２）  第２吸着素子
（１１０）  空気熱交換器
【図１】
2005016886.tif 000003
【図２】
2005016886.tif 000004
【図３】
2005016886.tif 000005
【図４】
2005016886.tif 000006
【図５】
2005016886.tif 000007
【図６】
2005016886.tif 000008
【図７】
2005016886.tif 000009
【図８】
2005016886.tif 000010
【図９】
2005016886.tif 000011
【図１０】
2005016886.tif 000012
【図１１】
2005016886.tif 000013
【図１２】
2005016886.tif 000014
【図１３】
2005016886.tif 000015
【図１４】
2005016886.tif 000016
【図１５】
2005016886.tif 000017